(57)【要約】【課題】右耳用の音声と左耳用の音声とが使用者に適正に届くように制御する。【解決手段】画像表示装置は、半球状に形成された中空の表示部材と、表示部材の下端縁部に半球状の外周に沿って設けられ、音声をそれぞれ異なる狭い出力範囲に出力する複数のスピーカと、画像データが記憶された記憶手段と、表示部材の外部から観察可能となるように画像を表示部材の内側から投射する投射手段と、表示部材を外部から観察する観察者と観察者の位置とを検出する検出手段と、検出された観察者の位置に基づいて、観察者と対向する表示部材上の位置が画像の中心位置となるように投射手段に画像を投射させる投射制御手段と、投射される画像に音声データが関連付けされている場合には、複数のスピーカの中から、検出された観察者と対向する位置の近傍に設けられた２つのスピーカを再生用スピーカとして選択し、音声を出力させる音声制御手段とを備える。【選択図】図３
2013255029.tif 000002
【特許請求の範囲】
【請求項１】
半球状に形成された中空の表示部材と、
前記表示部材の下端縁部に前記半球状の外周に沿って設けられ、音声をそれぞれ異なる狭い出力範囲に出力する複数のスピーカと、
画像データが記憶された記憶手段と、
前記表示部材の外部から観察可能となるように、前記画像データに対応する画像を前記表示部材の内側から投射する投射手段と、
前記表示部材を外部から観察する観察者を検出するとともに、前記観察者の位置を検出する検出手段と、
前記検出手段により検出された前記観察者の位置に基づいて、前記検出された観察者と対向する前記表示部材上の位置が前記画像の中心位置となるように前記投射手段に前記画像を投射させる投射制御手段と、
前記投射手段により投射される前記画像の画像データに音声データが関連付けされているか否かを判定し、前記音声データが関連付けされていると判定した場合には、前記複数のスピーカの中から、前記検出手段により検出された観察者と対向する位置の近傍に設けられた２つの前記スピーカを再生用スピーカとして選択し、選択した前記再生用スピーカから前記音声データに対応する音声を出力させる音声制御手段と、を備えることを特徴とする画像表示装置。
【請求項２】
請求項１に記載の画像表示装置において、
前記音声制御手段は、前記検出手段により検出された前記観察者と対向する位置を基準として、実質的に同じ距離だけ離れた位置に配置された２つの前記再生用スピーカを選択することを特徴とする画像表示装置。
【請求項３】
請求項２に記載の画像表示装置において、
前記音声制御手段は、前記音声データがステレオデータかモノラルデータかを判定し、前記ステレオデータと判定した場合には、右用の音声を２つの前記再生用スピーカのうち一方の再生用スピーカから出力させ、左用の音声を他方のスピーカから出力させ、前記モノラルデータと判定した場合には、２つの前記再生用スピーカからそれぞれ前記音声データに対応する音声を出力させることを特徴とする画像表示装置。
【請求項４】
請求項１乃至３のいずれか一項に記載の画像表示装置において、
前記検出手段により１人の前記観察者が検出された場合には、
前記投射制御手段は、前記投射手段を制御して、前記１人の観察者と対向する前記表示部材上の位置を中心として前記画像を表示させ、
前記音声制御手段は、前記１人の観察者と対向する位置の近傍に設けられた２つの前記再生用スピーカを選択することを特徴とする画像表示装置。
【請求項５】
請求項１乃至４のいずれか一項に記載の画像表示装置において、
前記検出手段によって複数の前記観察者が検出された場合には、
前記投影制御手段は、前記観察者の人数と位置とに応じて、前記表示部材に異なる分割表示領域を設定し、前記投射手段を制御して、前記分割表示領域ごとに前記画像を表示させ、
前記音声制御手段は、前記設定された前記分割表示領域ごとに異なる２つの前記再生用スピーカを選択することを特徴とする画像表示装置。
【請求項６】
請求項１乃至５のいずれか一項に記載の画像表示装置において、
前記複数のスピーカのそれぞれは、前記表示部材の外周に沿って実質的に等しい間隔であって、一のスピーカから出力される音声と前記一のスピーカの隣に配置された他のスピーカから出力される音声とが互いに干渉しない間隔となるように配置されていることを特徴とする画像表示装置。
【請求項７】
半球状に形成された中空の表示部材と、
前記表示部材の下端縁部に前記半球状の外周に沿って設けられ、音声をそれぞれ異なる狭い出力範囲に出力する複数のスピーカと、
画像データが記憶された記憶手段と、
前記表示部材の外部から観察可能となるように、前記画像データに対応する画像を前記表示部材の内側から投射する投射手段と、
前記表示部材の前記半球状の外周の頂部に設けられ、前記表示部材の外部を全方位に渡って撮像して画像信号を出力する撮像部と、
前記撮像部により出力された前記画像信号に基づいて、前記表示部材を外部から観察する観察者を検出するとともに、前記観察者の位置を検出する検出手段と、
前記検出手段により検出された前記観察者の位置に基づいて、前記検出された観察者と対向する前記表示部材上の位置が前記画像の中心位置となるように前記投射手段に前記画像を投射させる投射制御手段と、
前記投射手段により投射される前記画像の画像データに音声データが関連付けされているか否かを判定し、前記音声データが関連付けされていると判定した場合には、前記検出手段により検出された前記観察者の位置に応じて、前記複数のスピーカの中から前記音声データに対応する音声を出力させる再生用スピーカを選択する音声制御手段と、を備えることを特徴とする画像表示装置。
【発明の詳細な説明】
【技術分野】
【０００１】
本発明は、画像表示装置に関する。
【背景技術】
【０００２】
従来から、複数の視聴者のそれぞれの位置に応じて映像と音声とを視聴させる映像表示装置が知られている（たとえば特許文献１）。
【先行技術文献】
【特許文献】
【０００３】
【特許文献１】特開２００６−１０９２４１号公報
【発明の概要】
【発明が解決しようとする課題】
【０００４】
しかしながら、視聴者の右耳用の音声と左耳用の音声とを発生するスピーカの選択と、それぞれのスピーカの音量とを制御していないので、音声が左右の耳に均等な音量で届かない、または一方のスピーカからの音量が過大となり他の視聴者の利用の妨げとなるという問題がある。
【課題を解決するための手段】
【０００５】
請求項１に記載の画像表示装置は、半球状に形成された中空の表示部材と、表示部材の下端縁部に半球状の外周に沿って設けられ、音声をそれぞれ異なる狭い出力範囲に出力する複数のスピーカと、画像データが記憶された記憶手段と、表示部材の外部から観察可能となるように、画像データに対応する画像を表示部材の内側から投射する投射手段と、表示部材を外部から観察する観察者を検出するとともに、観察者の位置を検出する検出手段と、検出手段により検出された観察者の位置に基づいて、検出された観察者と対向する表示部材上の位置が画像の中心位置となるように投射手段に画像を投射させる投射制御手段と、投射手段により投射される画像の画像データに音声データが関連付けされているか否かを判定し、音声データが関連付けされていると判定した場合には、複数のスピーカの中から、検出手段により検出された観察者と対向する位置の近傍に設けられた２つのスピーカを再生用スピーカとして選択し、選択した再生用スピーカから音声データに対応する音声を出力させる音声制御手段と、を備えることを特徴とする。
請求項７に記載の画像表示装置は、半球状に形成された中空の表示部材と、表示部材の下端縁部に半球状の外周に沿って設けられ、音声をそれぞれ異なる狭い出力範囲に出力する複数のスピーカと、画像データが記憶された記憶手段と、表示部材の外部から観察可能となるように、画像データに対応する画像を表示部材の内側から投射する投射手段と、表示部材の半球状の外周の頂部に設けられ、表示部材の外部を全方位に渡って撮像して画像信号を出力する撮像部と、撮像部により出力された画像信号に基づいて、表示部材を外部から観察する観察者を検出するとともに、観察者の位置を検出する検出手段と、検出手段により検出された観察者の位置に基づいて、検出された観察者と対向する表示部材上の位置が画像の中心位置となるように投射手段に画像を投射させる投射制御手段と、投射手段により投射される画像の画像データに音声データが関連付けされているか否かを判定し、音声データが関連付けされていると判定した場合には、検出手段により検出された観察者の位置に応じて、複数のスピーカの中から音声データに対応する音声を出力させる再生用スピーカを選択する音声制御手段と、を備えることを特徴とする。
【発明の効果】
【０００６】
本発明によれば、表示部材の外周に沿って設けられた複数のスピーカの中から、検出した観察者と対向する位置の近傍に設けられた２つのスピーカを選択して、音声を出力させることができる。
【図面の簡単な説明】
【０００７】
【図１】本発明の実施の形態による画像表示装置の外観斜視図
【図２】画像表示装置の図１におけるＡ−Ａ線断面図
【図３】画像表示装置の要部構成を示すブロック図
【図４】スピーカの配置例を説明する図
【図５】画像撮像部により撮影される画像の一例を示す図
【図６】画像表示装置によりサムネイル画像を表示した場合を例示する図
【図７】観察者が１人の場合に画像撮像部により撮影される画像を例示する図
【図８】観察者が１人の場合の画像表示を例示する図
【図９】２人の観察者が隣接する場合の処理を説明する図
【図１０】２人の観察者が離れて存在する場合の処理を説明する図
【図１１】領域設定処理を説明する図
【図１２】観察者が３人の場合の画像表示を例示する図
【図１３】観察者が１人の場合のスピーカの選択を説明する図
【図１４】２人の観察者が隣接する場合のスピーカの選択を説明する図
【図１５】２人の観察者が離れて存在する場合のスピーカの選択を説明する図
【発明を実施するための形態】
【０００８】
図面を参照して、一実施の形態による画像表示装置について説明する。本実施の形態の画像表示装置は、外部から画像表示装置を観察する観察者の位置や人数に応じて、３６０度の画像表示が可能なスクリーン上で画像を表示する位置や表示態様を変更可能に構成されている。
【０００９】
図１は実施の形態による画像表示装置１の外観斜視図、図２は画像表示装置１の図１におけるＡ−Ａ線断面図、図３は画像表示装置１の要部構成を示すブロック図である。図１において一点鎖線で示す矢印Ｓは、後述する観察者の検出処理や画像の表示処理の際に基準となる方位（基準方位）を示す。図１、図２に示すように、画像表示装置１は、ベース部材１１と、スクリーン１２と、画像投影部１３と、画像撮影部１４と  制御装置１５とスピーカ１６とを備える。画像投影部１３と制御装置１５とはベース部材１１の内部に設けられる。スピーカ１６は、複数（たとえば１２個）のスピーカ１６ａ〜１６ｌ（図４参照）により構成され、後述するように、スクリーン１２に投影された画像に関連付けされている音声を出力する。なお、スピーカ１６ａ〜１６ｌを総称する場合には、スピーカ１６として以下の説明を行う。制御装置１５は、図３に示すように、制御回路１１１と、画像メモリ１１２と、外部インタフェース１１３と、カードインタフェース１１４とを備えている。
【００１０】
スクリーン１２は、半球面体で中空のドーム型形状に形成され、ベース部材１１上の面１１ａを覆うように配置される。スクリーン１２は、画像表示部１２ａとスピーカ配置部１２ｂとにより構成される。画像表示部１２ａは、たとえばアクリルやガラスや樹脂等の半透過型の材料によって製造され、後述する画像投影部１３により投影された画像を、スクリーン１２の外部から観察者が観察可能となるように表示する。スクリーン１２の画像表示部１２ａの外周面には後述するタッチパネル１２１（図３）が設けられ、観察者が画像表示部１２ａ上のタッチパネル１２１を押圧することにより所望する操作が可能となるように構成されている。なお、タッチパネル１２１とベース部材１１の内部に設けられた制御装置１５とを結ぶケーブルは、スクリーン１２とベース部材１１の面１１ａとの接合面からベース部材１１の内部に引き回される。その結果、後述する画像投影部１３による画像の投影の妨げとなることを防いでいる。スピーカ配置部１２ｂは、スクリーン１２の下端縁部に、スクリーン１２の外周に沿って複数のスピーカ１６を配置するために設けられる。なお、図２においては、スピーカ１６と制御回路１５とを結ぶケーブルについては図示を省略するが、後述する映像投影部１３によるスクリーン１２への画像の投影の妨げとならないようにベース部材１１の内部に引き回される。
【００１１】
スピーカ１６は、後述する制御装置１５による制御に応じて、画像投影部１３により投影される画像（静止画、動画）に関連付けされている音声を、スクリーン１２の外部に向かって出力する。スピーカ１６は、出力範囲を狭い範囲に限定して音声を出力する指向性を有する。本実施の形態のスピーカ１６は、出力範囲として、たとえば３０度の指向性を有する、すなわちスピーカ１６の向きを基準として±１５度の角度範囲に限定して音声を出力する。この場合、上記の出力範囲内ではスピーカ１６の音声が聞こえるが、上記以外の範囲では音声が聞こえない。
【００１２】
図４に本実施の形態による画像表示装置１のスピーカ１６の配置の一例を示す。図４では、基準方位Ｓを基点として、スクリーン１２の中心に対して反時計回りにｘ軸を設定している。図４に示すように、スピーカ配置部１２ｂの外周面に沿って１２個のスピーカ１６ａ〜１６ｌが実質的に均等な間隔となるように配置される。すなわち、互いに隣り合うスピーカ１６がスクリーン１２の半球面体の中心でなす角がほぼ３０度となる。上述したように、各スピーカ１６の出力範囲は３０度であるので、互いに隣り合うスピーカ１６からの音声が干渉することなく出力される。なお、各スピーカ１６が配置される間隔は、一のスピーカ１６の出力範囲と、そのスピーカ１６の隣に配置された他のスピーカ１６の出力範囲とが重複しないように決定されていればよい。
【００１３】
画像投影部１３は、ベース部材１１の内部であって、スクリーン１２の半球面体の中心軸上付近に配置される。画像投影部１３は、スクリーン１２の画像表示部１２ａの内側の全周面に向けて画像を投影するプロジェクタである。画像表示部１２ａは上述した用に半透過型の材料により形成されるので、画像投影部１３から画像表示部１２ａの内側の周面に投影された画像は、画像表示装置１の外部から観察者によって観察可能に画像表示部１２ａ上に表示される。なお、画像投影部１３の詳細については説明を後述する。
【００１４】
画像撮影部１４は、画像表示装置１の外部を全方位（水平方向に３６０度）撮影可能な光学系、たとえばＰＡＬ（Panoramic Annual Lens）を備える小型カメラであり、スクリーン１２の半球面体の頂部に設けられる。画像撮影部１４は上述したＰＡＬを備えることにより、画像投影部１３から画像表示部１２ａへ画像を投影する際に画像投影をほぼ妨げることが無い程に小型に構成されている。画像撮影部１４への電力供給および画像撮影部１４からの画像信号の送信を行うためのケーブル１４０（図２）として、画像投影部１３による画像表示部１２ａへの画像投影の妨げにならない程度に細いケーブルを用いる。なお、ケーブル１４０を用いて画像信号を制御装置１５へ送信するものに代えて、無線通信により画像信号を制御装置１５へ送信してもよい。
【００１５】
以下、画像撮影部１４について詳細に説明する。図２に示すように、画像撮影部１４は、ＰＡＬレンズ１４１と、撮影レンズ１４２と、撮像素子１４３とを備える。なお、図２においては、説明の都合上、画像撮影部１４を実際よりも大きく描いている。ＰＡＬレンズ１４１は、たる型の透明体からなり、一点鎖線で示す軸線Ｚのまわりに凸形状に形成された外周面１４１ａと、上端面１４１ｂと下端面１４１ｃとを有している。上端面１４１ｂは凹状の湾曲面で、透明体内を通過してこの到達する光に対しては凸形状の反射面として作用する。下端面１４１ｃは軸線Ｚと垂直な平面で、透明体内を通過してこの面に到達する光に対してレンズ面（屈折面）として作用する。
【００１６】
外周面１４１ａは軸線Ｚと垂直な平面によって、上方外周面１４１ａ１と下方外周周面１４１ａ２とに分割され、下方外周面１４１ａ２は光が入射しないように円筒状のケースで覆われている。上方外周面１４１ａ１は周囲の３次元像が入射する面でレンズ面（屈折面）として作用し、下方外周面１４１ａ２は上方外周面１４１ａ１から入射し透明体内を通過してこの面に到達する光に対して凹面状の反射面として作用する。
【００１７】
上述した構造を有するＰＡＬレンズ１４１の周囲の３６０度の円筒空間Ｐの３次元像は、上方外周面１４１ａ１のなす空間角の幅で取り込まれる。上方外周面１４１ａ１を通ってＰＡＬレンズ１４１内に入射した光は、まず、対向する下方外周面１４１ａ２で反射して、次に上端面１４１ｂで反射して、下端面１４１ｃより射出される。このとき、下端面１４１ｃから射出された光束はＰＡＬレンズ１４１内に虚像を結ぶ。
【００１８】
撮影レンズ１４２は、たとえばリレーレンズにより構成され、後述するようにＰＡＬレンズ１４１により虚像を結んだ画像表示装置１の周囲の３６０度方向からの光束を正立像として撮像素子１４３に結像させる。撮像素子１４３は、たとえばＣＣＤやＣＭＯＳ等により構成され、ＰＡＬレンズ１４１および撮影レンズ１４２を介して撮像面に結像した像を撮像して、画像信号を後述する制御装置１５に出力する。撮像素子１４３からの画像信号は、上述したケーブル１４０により制御装置１５へ出力される。
【００１９】
次に、図３のブロック図を参照して、画像表示装置１の制御系について説明する。上述したように、制御装置１５は、制御回路１１１と、画像メモリ１１２と、外部インタフェース１１３と、カードインタフェース１１４とを有している。制御回路１１１は、図示しないＣＰＵ、ＲＯＭ、ＲＡＭなどを有し、制御プログラムに基づいて、画像処理装置１の各構成要素を制御したり、各種のデータ処理を実行する演算回路である。制御プログラムは、制御回路１１１内の不図示の不揮発性メモリに格納されている。制御回路１１１は、画像撮影部１４、画像投影部１３およびスピーカ１６の駆動を制御する。
【００２０】
制御回路１１１は、画像処理部１９１と、検出部１９２と、音声制御部１９３とを機能的に備える。画像処理部１９１は、画像撮影部１４から入力した画像信号に対して種々の画像処理を施して画像データを生成する。また、画像処理部１９１は、画像メモリ１１２に記録されている画像データに基づいて、画像投影部１３により画像表示部１２ａに画像を投影するための投影画像データを生成する。検出部１９２は、画像処理部１９１により生成された画像データを用いて、公知の顔検出処理等により、画像表示装置１の外部周辺の人物（観察者）の人数や位置等を検出する。音声制御部１９３は、検出部１９２により検出された画像表示装置１の外部周辺の観察者の位置や人数等に応じて、音声を出力させるスピーカ１６を選択し、選択したスピーカ１６（再生用スピーカ）から表示中の画像に関連付けされた音声を出力させる。なお、画像処理部１９１、検出部１９２および音声制御部１９３の詳細については、説明を後述する。
【００２１】
外部インタフェース１１３は、たとえば画像表示装置１に電子カメラやパーソナルコンピュータなどの外部機器を接続するＵＳＢインタフェースである。画像表示装置１は、外部インタフェース１１３を介して外部機器から画像ファイルなどを入力する。カードインタフェース１１４は、メモリカード２００が着脱可能なインタフェースである。カードインタフェース１１４は、制御回路１１１の制御に基づいて、画像ファイルをメモリカード２００に書き込んだり、メモリカード２００に記録されている画像ファイルを読み出すインタフェース回路である。メモリカード２００はコンパクトフラッシュ（登録商標）やＳＤカードなどの半導体メモリカードである。なお、上述した画像ファイルは、電子カメラにより撮影された画像に対応する画像データ、画像データに対応するサムネイルデータ等が記録されたデータ部と、画像の撮影が行われた日時等を示す情報（撮影日時情報）や撮影条件を示す情報、画像データの天地（上下）を示す情報等が記録された付加情報部とを有する。
【００２２】
画像メモリ１１２は、たとえばハードディスク等の不揮発性メモリである。画像メモリ１１２には、外部インタフェース１１３やカードインタフェース１１４を介して外部機器やメモリカード２００から入力した画像ファイルなどが記録されている。
【００２３】
タッチパネル１２１は、ユーザが画像表示部１２ａの表面を指で押圧することによって、画像表示装置１を操作するための操作信号を出力する。タッチパネル１２１は、画像投影部１３による画像の投影範囲上に格子状に区切られた微細な入力領域を有しており、ユーザがこのタッチパネル１２１上を指やタッチペンで押圧（タッチ操作、なぞり操作）すると押圧位置にある入力領域がオンされる。タッチパネル１２１は、オンされた入力領域のタッチパネル１２１上における位置を特定する情報、例えば座標値をタッチパネル１２１の操作信号として制御回路１１１へ出力する。本実施の形態においては、タッチパネル１２１は、ユーザによる後述する投影画像の切換えを指示する操作を受け付けて、操作信号を制御回路１１１へ出力する。
【００２４】
画像投影部１３は、投影レンズ１３１と、表示素子１３２と、ＬＥＤ光源１３３と、投影制御部１３４とを含む。投影制御部１３４は、制御回路１１１から出力される制御信号に応じて、画像投影部１３内の各部の駆動を制御する。ＬＥＤ光源１３３は、制御回路１１１からの制御信号に応じて投影制御部１３４により供給される電流に応じた明るさで、表示素子１３２を照明する。
【００２５】
表示素子１３２は、たとえば液晶パネル等により構成される。投影制御部１３４は、制御回路１１１の画像処理部１９１により生成された投影画像データに応じて表示素子１３２を駆動するための駆動信号を生成し、生成した駆動信号で表示素子１３２を駆動する。具体的には、表示素子１３２の液晶層に対して画像信号に応じた電圧が画素ごとに印加される。電圧が印加された液晶層は液晶分子の配列が変わり、当該液晶層の光の透過率が変化する。このように、画像信号に応じてＬＥＤ光源１３３からの光を変調することにより、表示素子１３２が光像を生成する。投影レンズ１３１は、たとえば投影角がほぼ１８０度の魚眼レンズであり、上述のようにして表示素子１３２で生成された光像を画像表示部１２ａの内壁面の全領域へ向けて投射する。
【００２６】
以下、画像表示装置１における動作について説明する。画像表示装置１は、まず画像表示装置１の周囲に存在する観察者の位置、人数を検出する（観察者検出処理）。そして、画像表示装置１は、画像メモリ１１２に記録された複数の画像ファイル内のサムネイルデータに対応する複数のサムネイル画像を、画像表示部１２ａの外周に沿って表示する（サムネイル画像表示処理）。観察者が画像表示部１２ａに表示されたサムネイル画像をタッチ操作すると、画像表示装置１はタッチ操作されたサムネイル画像に対応する画像データの画像を画像表示部１２ａに表示させる（画像表示処理）。このとき、画像表示装置１は、検出した観察者の位置、人数に基づいて画像を表示する位置、態様を異ならせる。また、画像表示装置１は、画像表示部１２ａに画像の表示に関する各種の操作を行うための操作インタフェースを画像に重畳して表示させる。画像表示装置１は、画像表示部１２ａに表示された画像の画像データに音声データが関連付けされている場合には、検出した観察者の位置、人数等に基づいて、音声データに対応する音声を出力させるスピーカ１６を選択し、選択したスピーカ１６から音声を出力させる。以下、詳細に説明する。
【００２７】
観察者により、画像表示装置１のベース部材１１に設けられた不図示の電源オン／オフボタンによって電源オン操作がされると、制御回路１１１は画像撮影部１４に指令して撮像素子１４３により画像表示装置１の外部周辺を撮像させる。なお、制御回路１１１は、画像表示装置１が動作している間は、所定周期（たとえば１分）ごとに画像撮影部１４に指令して、画像表示装置１の外部周辺を撮像させる。
【００２８】
−観察者検出処理−
撮像素子１４３は画像表示装置１の周辺を撮像して画像信号を制御回路１１１へ出力する。制御回路１１１の画像処理部１９１は、入力したアナログの画像信号をデジタル画像信号に変換した後、種々の画像処理を施して画像データを生成する。上述したように、画像撮影部１４は、ＰＡＬレンズ１４１を用いて画像表示装置１の外部周辺を３６０度にわたって撮影する。このため、画像処理部１９１により生成された画像データに対応する画像は、図５（ａ）に示すように円環（リング）状に画像表示装置１の周囲を写し出す。なお、図５（ａ）に示す矢印Ｓは、図１で示した基準方位Ｓと同一方位を示す。また、図５（ａ）では、基準方位Ｓを基点として、画像の中心に対して反時計回りにｘ軸、基準方位Ｓに沿って画像の中心に向かってｙ軸を設定している。
【００２９】
画像処理部１９１は、円環上の画像に対応する画像データを変形して矩形状の画像に対応する画像データ（変形画像データ）を生成する。図５（ｂ）は、変形画像データに対応する変形画像を示す。変形画像データに対応する変形画像は、図５（ａ）の画像を基準方位Ｓの位置で分断し、図５（ａ）では円状で示されるｘ軸を直線状のＸ軸に変換したものである。この場合、画像処理部１９１は、画像データの座標（ｘ，ｙ）のデータを対応する座標（Ｘ，Ｙ）で示される位置に移動することにより変形画像データを生成する。なお、座標（ｘ，ｙ）と座標（Ｘ，Ｙ）との対応関係は、予め決定されており所定の記憶領域に格納されているものとする。上記の処理の結果、図５（ａ）の画像では画像表示装置１の周囲は歪んで撮影されるが、図５（ｂ）の変形画像では歪みが修正された画像となる。
【００３０】
検出部１９２は、上述のようにして生成された変形画像データに対して、電子カメラ等で用いられる公知の顔検出処理を適用して画像表示装置１の外部周辺の人物（観察者）の人数や位置等を検出する。なお、検出部１９２は、変形画像データに代えて変形処理が施されていない画像データを用いて顔検出処理を行ってもよい。この場合は、画像処理部１９１は変形画像データの生成を行わないので処理負荷が低減できる。なお、上述した変形処理および顔検出処理、すなわち観察者検出処理は、所定周期ごとに撮像素子１４３により画像表示装置１の周辺の撮像が行われ画像信号が制御回路１１１に入力されるごとに行われる。
【００３１】
−サムネイル画像表示処理−
制御回路１１１は、画像メモリ１１２に記録された画像ファイル内のサムネイル画像データを読出し、画像処理部１９１はサムネイル画像を画像表示部１２ａに表示するためのデータ、すなわち画像投影部１３に投影させるためのサムネイル投影画像データを生成する。図６にサムネイル投影画像データおよびサムネイル画像の表示の一例を示す。なお、図６において一点鎖線の矢印Ｓは、図１および図５で示した基準方位であることを示す。
【００３２】
図６（ａ）に示すように、画像処理部１９１は、基準方位Ｓを基点として、複数のサムネイル画像データがサムネイル投影画像データの中心に対して、たとえば反時計回りに円を描くように配列する。このとき、画像処理部１９１は、画像ファイルの付加情報部に記録された天地情報を参照して、各サムネイル画像データの「天（上部」がサムネイル投影画像データの中心を向くように複数のサムネイル画像データを配列する。なお、画像処理部１９１は、たとえば撮影日時の新しい画像に対応するサムネイル画像データから、順次、基準方位Ｓを基点として配列する。この場合は、画像処理部１９１は、画像ファイルの付加情報部に記録されて撮影日時情報を参照する。図６（ａ）においては、撮影日時が新しい順にサムネイル画像データＰｓｄ１〜Ｐｓｄ６が反時計回りで配列された場合を示している。なお、サムネイル画像データは撮影日時が古い順に配列されるものであってもよい。
【００３３】
画像処理部１９１は、生成したサムネイル投影画像データを画像投影部１３の投影制御部１３４へ出力する。投影制御部１３４は、入力したサムネイル投影画像データに応じて表示素子１３２を駆動するための駆動信号を生成し、生成した駆動信号で表示素子１３２を駆動する。そして、画像投影部１３は、上述したようにして、サムネイル投影画像データに対応する光像を画像表示部１２ａに向けて投射する。その結果、図６（ｂ）に示すように、複数のサムネイル画像が、画像表示部１２ａの外周に沿って表示される。図６（ｂ）において示すサムネイル画像Ｐｓ１〜Ｐｓ４は、図６（ａ）のサムネイル画像データＰｓｄ１〜Ｐｓｄ４にそれぞれ対応するものである。したがって、図６（ｂ）においても、サムネイル画像Ｐｓ１〜Ｐｓ４が撮影日時の新しい順に反時計回りで配列されている。なお、図６（ｂ）においては、ベース部材１１と画像撮影部１４を省略して示している。
【００３４】
−画像表示処理−
以下、顔検出処理により検出された人物、すなわち観察者の数が、（１）１人の場合、（２）複数の場合に分けて説明する。
（１）観察者が１人の場合
図７は、観察者が１人の場合に画像撮影部１４により撮影される画像およびその変形画像の一例を示す。図７（ａ）に示すように点ｇ１（ｘ_ｇ１，ｙ_ｇ１）に観察者が存在する場合、図７（ｂ）に示す変形画像上においては、点ｇ１に対応する点Ｇ１（Ｘ_Ｇ１，Ｙ_Ｇ１）に観察者が存在することになる。すなわち、検出部１９２は、変形画像データ上の座標Ｇ１（Ｘ_Ｇ１，Ｙ_Ｇ１）に観察者を検出する。この観察者が、図６（ｂ）に示すように表示された複数のサムネイル画像のうち、サムネイル画像Ｐｓ２をタッチ操作したものとして以下の説明を行う。
【００３５】
タッチパネル１２から操作信号を入力すると、制御回路１１１は操作信号が示すタッチパネル１２上の座標値をサムネイル投影画像データ上における座標値に変換する。なお、タッチパネル１２上の座標値とサムネイル投影画像データおよび後述する投影画像データ上の座標値との対応関係を示すデータは、予め所定の記憶領域に格納され、制御回路１１１はこの対応関係を示すデータを用いて座標値の変換を行う。そして、制御回路１１１は、変換した座標位置に配列されたサムネイル画像データＰｓｄ２に対応する画像データＰｄ２を読み出す。画像データＰｄ２が読み出されると、画像処理部１９１は、画像データＰｄ２の中心座標（Ｘ’_ｃ，Ｙ’_ｃ）と、変形画像データ上で観察者が検出された座標Ｇ１（Ｘ_Ｇ１，Ｙ_Ｇ１）とが一致するように投影画像データを生成する。
【００３６】
まず、画像処理部１９１は、変形画像データ上の座標Ｇ１（Ｘ_Ｇ１，Ｙ_Ｇ１）を投影画像データ上の対応する座標（Ｘ”_Ｇ１，Ｙ”_Ｇ１）に変換する。なお、変形画像データ上の座標値と投影画像データ上の座標値との対応関係を示すデータは、予め所定の記憶領域に格納され、画像処理部１９１はこの対応関係を示すデータを用いて座標の変換を行う。
【００３７】
次に、画像処理部１９１は、画像データＰｄ２の各座標（Ｘ’，Ｙ’）を投影画像データ上の座標（Ｘ”，Ｙ”）に変換する。なお、画像データ上の座標値と投影画像データ上の座標値との対応関係を示すデータは、予め所定の記憶領域に格納され、画像処理部１９１はこの対応関係を示すデータを用いて座標の変換を行う。そして、画像処理部１９１は、画像データＰｄ２の中心座標（Ｘ’_ｃ，Ｙ’_ｃ）が変換された投影画像データ上の座標（Ｘ”_ｃ，Ｙ”_ｃ）のデータを座標（Ｘ”_Ｇ１，Ｙ”_Ｇ１）、すなわち観察者が検出された位置に移動する。さらに、画像処理部１９１は、画像データＰｄ２の変換後の中心座標（Ｘ”_ｃ，Ｙ”_ｃ）とデータを投影画像データ上の座標（Ｘ”_Ｇ１，Ｙ”_Ｇ１）との差分Δ１を算出する。画像処理部１９１は、画像データＰｄ２の変換後の各座標におけるデータを算出された差分Δ１だけ移動させることにより投影画像データを生成する。
【００３８】
投影画像データが生成されると、画像処理部１９１は、サムネイル画像を表示する場合と同様に、投影画像データを画像投影部１３の投影制御部１３４へ出力する。投影制御部１３４は、入力した投影画像データに応じて表示素子１３２を駆動するための駆動信号を生成し、生成した駆動信号で表示素子１３２を駆動する。そして、画像投影部１３は、投影画像データに対応する光像をスクリーン１２に向けて投射する。その結果、図８（ａ）に示すように、画像データＰｄ２に対応する画像の中心（表示中心ＤＣ）と、画像表示部１２ａ上の観察者と対向する位置とがほぼ一致するように画像が表示される。なお、図８（ａ）に示す二点鎖線の矢印Ｌは観察者の視線を示し、図８（ａ）は視線Ｌの先端と表示中心ＤＣとがほぼ一致していることを示す。換言すると、観察者の視線Ｌの先端が表示される画像の中心となるように画像表示部１２ａ上に画像が表示されることになる。また、図８（ａ）においては、ベース部材１１と画像撮影部１４を省略して示している。
【００３９】
図８（ａ）に示すように画像表示部１２ａに画像が表示されているときに、観察者により画像表示部１２ａ上のタッチパネル１２１がタッチ操作されると、図８（ｂ）に示すように画像表示装置１は画像表示部１２ａに表示中の画像に重畳して操作インタフェース１２２を表示する。操作インタフェース１２２は、たとえば図８（ｂ）に示すように、スクリーン１２の外周に沿って一周する円環（リング）状となるように表示される。さらに、画像表示装置１は、画像表示部１２ａに表示中の画像（図８（ａ）では画像データＰｄ２に対応する画像）の撮影日および撮影時刻をファイル情報１２３として操作インタフェース１２２の近傍に表示する。以下、詳細に説明する。
【００４０】
観察者の画像表示部１２ａのタッチ操作に応じてタッチパネル１２１から操作信号が出力されると、制御回路１１１は操作信号が示すタッチパネル１２上の操作座標値を、対応関係を示すデータを用いて、投影画像データ上における座標値に変換する。そして、画像処理部１９１は、変換後の操作座標値を通過し、表示中の画像に対応する投影画像データの中心座標を軸とした円形の操作インタフェース用データを作成する。さらに、画像処理部１９１は、画像データＰｄ２の画像ファイルから撮影日時情報を読出し、ファイル情報用データを作成する。
【００４１】
画像処理部１９１は、作成した操作インタフェース用データとファイル情報用データとを、表示中の画像に対応する投影画像データに重畳させて新たな投影画像データを生成する。なお、画像処理部１９１は、ファイル情報用データを操作インタフェース用データの近傍であって、かつ、観察者の位置が検出された位置に対応する座標（Ｘ”_Ｇ１，Ｙ”_Ｇ１）の近傍となる投影画像データ上の位置に配置する。新たな投影画像データが生成されると、制御回路１１１は、上述した場合と同様にして画像投影部１３により新たな投影画像データに対応する光像を画像表示部１２ａに向けて投射させる。
【００４２】
上述したようにして表示された操作インタフェース１２２による操作内容について説明する。操作インタフェース１２２は、観察者が表示中の画像をコマ送り、またはコマ戻しする場合に操作される。図８（ｂ）に示す状態から操作インタフェース１２２を半球面体の画像表示部１２ａの上部、すなわち頂部に向けて観察者がこすり操作（タッチパネル１２１を押圧したまま移動させる操作）を行うと、画像の撮影日に応じたコマ戻し操作となる。この場合、図８（ｃ）に示すように、こすり操作に応じて円形の操作インタフェース１２２が画像表示部１２ａの頂部に向かって移動する。さらに、画像表示部１２ａには、ファイル情報１２３で示される内容が、現在表示中の画像の撮影日よりも新しい撮影日に更新されて表示される。こすり操作による操作量が大きい程、ファイル情報１２３が示す内容はより新しい撮影日となるように撮影日が更新されて表示される。そして、ファイル情報１２３によって示される撮影日が所望する撮影日となったときに観察者がタッチパネル１２１をタッチ操作すると、当該撮影日に撮影された画像が画像表示部１２ａに表示される。
【００４３】
操作インタフェース１２２を半球面体の画像表示部１２ａの下部、すなわち底辺に向けて観察者がこすり操作を行うと、画像の撮影日に応じたコマ送りし操作となる。この場合、こすり操作に応じて円形の操作インタフェース１２２が画像表示部１２ａの底辺に向かって移動し、ファイル情報１２３で示される内容が、現在表示中の画像の撮影日よりも古い撮影日に更新されて表示される。そして、ファイル情報１２３によって示される撮影日が所望する撮影日となったときに観察者がタッチパネル１２１をタッチ操作すると、当該撮影日に撮影された画像が画像表示部１２ａに表示される。
【００４４】
図８（ｂ）に示す状態から操作インタフェース１２２を半球面体の画像表示部１２ａの上で、横方向、すなわち画像表示部１２ａの底辺にほぼ平行な方向に時計回りに観察者がこすり操作を行うと、画像の撮影時刻に応じたコマ戻し操作となる。この場合、こすり操作が行われても円形の操作インタフェース１２２の画像表示部１２ａでの位置は変更がないまま、ファイル情報１２３で示される内容が、現在表示中の画像の撮影時刻よりも新しい撮影時刻に更新されて表示される。そして、ファイル情報１２３によって示される撮影時刻が所望する撮影時刻となったときに観察者がタッチパネル１２１をタッチ操作すると、当該撮影時刻に撮影された画像が画像表示部１２ａに表示される。
【００４５】
図８（ｂ）に示す状態から操作インタフェース１２２を半球面体の画像表示部１２ａの上で、横方向、すなわち画像表示部１２ａの底辺にほぼ平行な方向に反時計回りに観察者がこすり操作を行うと、画像の撮影時刻に応じたコマ送り操作となる。この場合、こすり操作が行われても円形の操作インタフェース１２２の画像表示部１２ａでの位置は変更がないまま、ファイル情報１２３で示される内容が、現在表示中の画像の撮影時刻よりも古い撮影時刻に更新されて表示される。そして、ファイル情報１２３によって示される撮影時刻が所望する撮影時刻となったときに観察者がタッチパネル１２１をタッチ操作すると、当該撮影時刻に撮影された画像が画像表示部１２ａに表示される。
【００４６】
上述したようにして操作インタフェース１２２が観察者によって操作された場合の、制御回路１１１における処理について説明する。
タッチパネル１２１から操作信号が出力されると、制御回路１１１は操作信号が示すタッチパネル１２上の操作座標値を、対応関係を示すデータを用いて、投影画像データ上における座標値に変換する。そして、画像処理部１９１は、変換後の操作座標値を通過し、表示中の画像に対応する投影画像データの中心座標を軸とした円形の操作インタフェース用データを作成する。
【００４７】
制御回路１１１は、画像メモリ１１２内の画像ファイルに記録された撮影日時情報を参照して、表示中の画像の撮影日よりも新しい撮影日に対応する撮影日時情報を読み出す。そして、画像処理部１９１は、読み出された新たな撮影日時情報に含まれる撮影日または撮影時刻の情報に基づいて新たなファイル情報用データを作成し、現在表示中の画像（図８（ｂ））に対応する投影画像データに含まれるファイル情報用データを、新たな情報用データに置き換えて新たな投影画像データを生成する。新たな投影画像データが生成されると、制御回路１１１は、上述した場合と同様にして画像投影部１３により新たな投影画像データに対応する光像を画像表示部１２ａに向けて投射させる。その結果、図８（ｃ）に示すように操作インタフェース１２２とファイル情報１２３とが画像表示部１２ａに表示される。
【００４８】
（２）観察者が複数の場合
複数の観察者が存在する場合の説明として、上述した観察者検出処理により観察者の人数が２人であることが検出された場合を例として説明する。この場合、画像表示装置１は、検出された２人の観察者の位置に応じて画像表示の形態を異ならせる。図９（ａ）に示すように２人の観察者が隣り合うようにして画像表示部１２ａを観察している場合には、画像表示装置１は隣接し合う２人の観察者が共に同一の画像を観察可能となるように、画像表示部１２ａ上に画像を表示する。図１０（ａ）に示すように２人の観察者が離れて（対向して）画像表示部１２ａを観察している場合には、画像表示装置１は２人の観察者のそれぞれが画像を観察可能となるように、画像表示部１２ａ上に画像を表示する。以下、観察者が隣接する場合と、観察者が離れている場合とに分けて説明する。なお、図９（ａ）、図１０（ａ）においては、ベース部材１１と画像撮影部１４を省略して示している。
【００４９】
−観察者が隣接する場合−
図９（ｂ）および図９（ｃ）は、図９（ａ）に示すように２人の観察者が存在している場合に画像撮影部１４により撮影される画像およびその変形画像を示す。図９（ｂ）に示すように点ｇ１（ｘ_ｇ１，ｙ_ｇ１）、点ｇ２（ｘ_ｇ２，ｙ_ｇ２）に観察者が存在する場合、図９（ｂ）に示す変形画像上においては、点ｇ１に対応する点Ｇ１（Ｘ_Ｇ１，Ｙ_Ｇ１）および点ｇ２に対応する点Ｇ２（Ｘ_Ｇ２，Ｙ_Ｇ２）に観察者が存在することになる。すなわち、検出部１９２は、変形画像データ上の座標Ｇ１（Ｘ_Ｇ１，Ｙ_Ｇ１）および座標Ｇ２（Ｘ_Ｇ２，Ｙ_Ｇ２）に観察者を検出する。
【００５０】
検出部１９２は、座標Ｇ１およびＧ２に観察者を検出すると、座標Ｇ１（Ｘ_Ｇ１，Ｙ_Ｇ１）と座標Ｇ２（Ｘ_Ｇ２，Ｙ_Ｇ２）との差分Δ２値を算出する。そして、検出部１９２は、算出した差分値Δ２が所定の閾値ｔｈ未満の場合に、検出した２人の観察者が隣接していると判定する。なお、閾値ｔｈはスクリーン１２の半球体の中心を基準として、２人の観察者がなす角度に対応した値であり、２人の観察者のなす角度が６０度〜１２０度の範囲、たとえば９０度に対応する値である。
【００５１】
検出部１９２は、２人の観察者が隣接していると判定した場合、それぞれの観察者の位置に対応する座標Ｇ１（Ｘ_Ｇ１，Ｙ_Ｇ１）および座標Ｇ２（Ｘ_Ｇ２，Ｙ_Ｇ２）の中点の座標Ｇｃ（Ｘ_Ｇｃ，Ｙ_Ｇｃ）を算出する。検出部１９２により座標Ｇｃ（Ｘ_Ｇｃ，Ｙ_Ｇｃ）が算出されると、画像処理部１９１は画像表示部１２ａ上で２人の観察者の中点に対応する位置を中心として画像を表示するための処理を行う。
【００５２】
画像処理部１９１は、変形画像データ上の座標Ｇｃ（Ｘ_Ｇｃ，Ｙ_Ｇｃ）を投影画像データ上の対応する座標（Ｘ”_Ｇｃ，Ｙ”_Ｇｃ）に変換する。なお、画像処理部１９１は、上述したように、予め記憶されている変形画像データ上の座標値と投影画像データ上の座標値との対応関係を示すデータを用いて座標の変換を行う。そして、画像処理部１９１は、画像データの各座標（Ｘ’，Ｙ’）を投影画像データ上の座標（Ｘ”，Ｙ”）に変換し、画像データの中心の変換後の座標（Ｘ”_ｃ，Ｙ”_ｃ）のデータを座標（Ｘ”_Ｇｃ，Ｙ”_Ｇｃ）、すなわち２人の観察者の中点の位置に移動する。以後、画像処理部１９１は、上述した１人の観察者が検出された場合の処理と同様の処理を行って投影画像データを生成し、制御回路１１１はこの生成された投影画像データを画像投影部１３により投影させる。その結果、図９（ａ）に示すように画像表示部１２ａ上に画像が表示される。
【００５３】
−観察者が離れている場合−
図１０（ｂ）および図１０（ｃ）は、図１０（ａ）に示すように２人の観察者が存在している場合に画像撮影部１４により撮影される画像およびその変形画像を示す。図１０（ｂ）に示すように点ｇ３（ｘ_ｇ３，ｙ_ｇ３）、点ｇ４（ｘ_ｇ４，ｙ_ｇ４）に観察者が存在する場合、図１０（ｂ）に示す変形画像上においては、点ｇ３に対応する点Ｇ３（Ｘ_Ｇ３，Ｙ_Ｇ３）および点ｇ４に対応する点Ｇ４（Ｘ_Ｇ４，Ｙ_Ｇ４）に観察者が存在することになる。すなわち、検出部１９２は、変形画像データ上の座標Ｇ３（Ｘ_Ｇ３，Ｙ_Ｇ３）および座標Ｇ４（Ｘ_Ｇ４，Ｙ_Ｇ４）に観察者を検出する。なお、以下の説明では、座標Ｇ３に対応する位置の観察者を符号Ｍ１、座標Ｇ４に対応する位置の観察者を符号Ｍ２で表す。
【００５４】
検出部１９２は、座標Ｇ３およびＧ４に観察者を検出すると、上述したように、座標Ｇ３（Ｘ_Ｇ３，Ｙ_Ｇ３）と座標Ｇ４（Ｘ_Ｇ４，Ｙ_Ｇ４）との差分値Δ２を算出する。そして、検出部１９２は、算出した差分値Δ２が所定の閾値ｔｈ以上の場合に、２人の観察者Ｍ１，Ｍ２が隣接していないと判定する。図１０においては、２人の観察者Ｍ１，Ｍ２のなす角度が１８０度の場合、すなわち２人の観察者Ｍ１，Ｍ２が互いに対向している場合を示している。
【００５５】
観察者Ｍ１，Ｍ２が離れて存在することが検出されると、制御回路１１１は観察者Ｍ１用に画像表示部１２ａ上で画像を表示するための分割表示領域Ｒ１と、観察者Ｍ２用に画像表示部１２ａ上で画像を表示するための分割表示領域Ｒ２とを設定する処理を行う（領域設定処理）。すなわち、図１１（ａ）に示す画像表示部１２ａの上部平面図に示すように、制御回路１１１は、画像表示部１２ａ上の全表示領域を、観察者Ｍ１と観察者Ｍ２との中間に対応する位置で２つの分割表示領域Ｒ１，Ｒ２に分割する。すなわち、制御回路１１１は、画像表示部１２ａの頂点を通って、画像表示部１２ａの底辺の２つの中間位置ｘｍ１、ｘｍ２を結ぶ直線で画像表示部１２ａの全体の表示領域を２つに分割する。そして、制御回路１１１は、分割表示領域Ｒ１と分割表示領域Ｒ２とにそれぞれ画像を表示させる。以下、領域設定処理について詳細に説明する。
【００５６】
検出部１９２は、観察者Ｍ１，Ｍ２の中間位置を算出するため、座標Ｇ３（Ｘ_Ｇ３，Ｙ_Ｇ３）と座標Ｇ４（Ｘ_Ｇ４，Ｙ_Ｇ４）のＸ軸方向の差分Δ３（＝｜Ｘ_Ｇ３−Ｘ_Ｇ４｜）を算出し、算出した差分Δ３を１／２にすることにより変位量Δ４（＝Δ３／２）を算出する。そして、検出部１９２は、中間位置ｘｍ１に対応する変形画像データ上の中間位置ＸＭ１のＸ座標（Ｘ_Ｍ１）を座標Ｇ３のＸの値（Ｘ_Ｇ３）に差分Δ３を加算することにより算出する。同様に、検出部１９２は、中間位置ｘｍ２に対応する変形画像データ上の中間位置ＸＭ２のＸ座標（Ｘ_Ｍ２）を座標Ｇ４のＸの値（Ｘ_Ｇ４）に差分Δ３を加算することにより算出する。なお、中間位置ＸＭ１またはＸＭ２のＸ座標が変形画像データのＸ軸方向の最大値（Ｘ_ＭＡＸ）を超える場合には、検出部１９２は、算出した中間位置ＸＭ１またはＸＭ２のＸ座標（Ｘ_Ｍ１またはＸ_Ｍ２）から最大値（Ｘ_ＭＡＸ）を引いた値を中間位置のＸ座標とする。
【００５７】
画像処理部１９１は、変形画像データ上の中間位置ＸＭ１およびＸＭ２の座標（Ｘ_Ｍ１，０）、（Ｘ_Ｍ２，０）を投影画像データ上の対応する座標（Ｘ”_Ｍ１，Ｙ”_Ｍ１）および（Ｘ”_Ｍ２，Ｙ”_Ｍ２）に変換する。なお、画像処理部１９１は、上述したように、予め記憶されている変形画像データ上の座標値と投影画像データ上の座標値との対応関係を示すデータを用いて座標の変換を行う。
【００５８】
座標の変換が行われると、画像処理部１９１は、座標（Ｘ”_Ｍ１，Ｙ”_Ｍ１）、投影画像データの中心座標および（Ｘ”_Ｍ２，Ｙ”_Ｍ２）を通過する線分で投影画像データを２つのデータ領域ＲＤ１、ＲＤ２に分割する。さらに、画像処理部１９１は、変形画像データ上の座標Ｇ３（Ｘ_Ｇ３，Ｙ_Ｇ３）と座標Ｇ４（Ｘ_Ｇ４，Ｙ_Ｇ４）を投影画像データ上の対応する座標（Ｘ”_Ｇ３，Ｙ”_Ｇ３）と座標（Ｘ”_Ｇ４，Ｙ”_Ｇ４）とにそれぞれ変換する。上記の処理の結果、図１１（ｂ）に示すように投影画像データ上で分割表示領域Ｒ１に対応するデータ領域ＲＤ１と、分割表示領域Ｒ２に対応するデータ領域ＲＤ２と、観察者Ｍ１に対応する座標と、観察者Ｍ１に対応する座標とが確定される。
【００５９】
領域設定処理が終了すると、画像処理部１９１は、画像データの各座標（Ｘ’，Ｙ’）を投影画像データ上の座標（Ｘ”，Ｙ”）に変換し、画像データの中心の変換後の座標（Ｘ”_ｃ，Ｙ”_ｃ）のデータを座標（Ｘ”_Ｇ３，Ｙ”_Ｇ３）に移動する。さらに、画像処理部１９１は、画像データの変換後の各座標をデータ領域Ｒ１の内部に収まるように移動する。また、画像処理部１９１は、画像データの中心の変換後の座標（Ｘ”_ｃ，Ｙ”_ｃ）のデータを座標（Ｘ”_Ｇ４，Ｙ”_Ｇ４）に移動する。さらに、画像処理部１９１は、画像データの変換後の各座標をデータ領域Ｒ２の内部に収まるように移動する。制御装置１１は、上記のようにして生成した投影画像データを画像投影部１３により投影させる。その結果、図１１（ｃ）に示すように画像表示部１２ａ上に画像が表示される。すなわち、観察者Ｍ１に対向する画像表示部１２ａ上の位置を中心とした画像と、観察者Ｍ２に対向する画像表示部１２ａ上の位置を中心とした画像とが表示される。なお、図１１（ａ）においては、ベース部材１１と画像撮影部１４を省略して示している。
【００６０】
なお、操作インタフェース１２２およびファイル情報１２３をスクリーン１２に表示する場合は、画像処理部１９１は、データ領域ＲＤ１内に観察者Ｍ１のタッチ操作に応じた操作インタフェース用データとファイル情報用データとを作成する。また、画像処理部１９１は、データ領域ＲＤ２内に観察者Ｍ２のタッチ操作に応じた操作インタフェース用データとファイル情報用データとを作成する。その結果、図１１（ｃ）に示すように、分割表示領域Ｒ１と分割表示領域Ｒ２とにおいて、観察者Ｍ１およびＭ２の操作に応じた異なる操作インタフェース１２２Ａ、１２２Ｂと、ファイル情報１２３Ａ、１２３Ｂとが表示される。
【００６１】
上記の説明では、観察者が２人の場合を例としたが、観察者が３人以上の場合であっても画像表示装置１は同様の処理を行う。図１２を参照して観察者が３人の場合について説明する。図１２（ａ）は、３人の観察者がそれぞれ離れている場合のスクリーン１２の上部平面図である。この場合は、制御回路１１１は、上述した２人の観察者が離れている場合の処理と同様の処理を行って、画像表示部１２ａに分割表示領域Ｒ１、Ｒ２、Ｒ３を設定する。そして、制御回路１１１それぞれの分割表示領域Ｒ１〜Ｒ３に画像を表示させる。
【００６２】
図１２（ｂ）は、３人の観察者の全員が隣接している場合のスクリーン１２の上部平面図である。すなわち、３人の観察者がスクリーン１２の中心を基点とした６０度〜１２０度の範囲に存在する場合の図である。この場合、制御回路１１１は、上述した２人の観察者が隣接している場合の処理と同様の処理を行って、３人の観察者の中心位置を基準として画像表示部１２ａに画像を表示させる。
【００６３】
図１２（ｃ）は、３人の観察者のうち２人の観察者Ｍ３，Ｍ４が隣接し、残りの１人の観察者Ｍ５は、他の２人の観察者Ｍ３，Ｍ４とは離れた位置に存在する場合のスクリーン１２の上部平面図である。すなわち、観察者Ｍ３とＭ４とのなす角は６０度〜１２０度の範囲内であり、観察者Ｍ５と観察者Ｍ３のなす角および観察者Ｍ５と観察者Ｍ４とのなす角は上記の６０度〜１２０度の範囲外の場合である。この場合、制御回路１１１は、観察者Ｍ５に対向する位置を基準とした分割表示領域Ｒ１と、観察者Ｍ３，Ｍ４の中点を基準とした分割表示領域Ｒ２とを設定する。そして、制御回路１１１それぞれの分割表示領域Ｒ１，Ｒ２に画像を表示させる。
【００６４】
−音声制御処理−
音声制御部１９３による音声制御処理について説明する。音声制御部１９３は、観察者の位置を基準として、音声データに対応する音声を出力するために２つのスピーカ１６を再生用スピーカとして選択する。この場合、音声制御部１９３は、検出部１９２により検出された観察者の変形画像データ上の座標に基づいて、ｘ軸方向に＋３０度の近傍に配置されたスピーカ１６と、−３０度の近傍に配置されたスピーカ１６とを選択する。すなわち、音声制御部１９３は、観察者に対向するスクリーン１２の位置を基準として、実質的に等距離に配置されている２つのスピーカ１６を選択する。なお、各スピーカ１６ａ〜１６ｌのスピーカ配置部１２ｂにおける配置位置を示す座標値は、予め変形画像データ上の座標値に変換されてメモリに格納されているものとする。
【００６５】
スピーカ１６が選択され、かつ、上述したように観察者により画像表示部１２ａに表示する画像データが選択されると、音声制御部１９３は、選択された画像データに音声データが関連付けされているか否かを判定する。音声データが関連付けされている場合、音声制御部１９３は、音声データを選択したスピーカ１６に割り当てる。この場合、音声制御部１９３は、音声データがモノラルデータかステレオデータかを判定する。
【００６６】
音声データがモノラルデータの場合には、音声制御部１９３は、選択した２つのスピーカ１６のそれぞれに対して音声データを割り当てる。そして、音声制御部１９３は、音声データを図示しない増幅部を介して増幅させた後、選択した２つのスピーカ１６から音声データに対応する音声を出力させる。その結果、選択された２つのスピーカ１６から、同一の音声が同一の音量で出力される。
【００６７】
音声データがステレオデータの場合には、音声制御部１９３は、音声データをＲチャンネル用の音声データ（以後、Ｒ音声データと呼ぶ）とＬチャンネル用の音声データ（以後、Ｌ音声データと呼ぶ）に分離する。そして、音声制御部１９３は、Ｒ音声データを＋３０度の近傍に配置されたスピーカ１６、Ｌ音声データを−３０度の近傍に配置されたスピーカ１６に割り当てる。すなわち、観察者から見て右側に位置するスピーカ１６からＲ音声データの音声が出力され、左側に位置するスピーカ１６からＬ音声データの音声が出力されるように割り当てが行われる。そして、音声制御部１９３は、Ｒ音声データを図示しない増幅部を介して増幅させた後、観察者から見て右側に位置するスピーカ１６からＲ音声データに対応する音声を出力させる。さらに、音声制御部１９３は、Ｌ音声データを図示しない増幅部を介して増幅させた後、観察者から見て左側に位置するスピーカ１６からＬ音声データに対応する音声を出力させる。その結果、Ｒ音声データの音声が観察者から向かって右側のスピーカ１６から、Ｌ音声データの音声が観察者から向かって左側のスピーカ１６から、同一の音量で出力される。
【００６８】
以下、上述した画像表示処理と対応付けて、顔検出処理により検出された人物、すなわち観察者の数が、（１）１人の場合、（２）複数の場合に分けて説明する。
（１）観察者が１人の場合
図１３（ａ）は１人の観察者Ｍが画像表示部１２ａを観察している場合を示す。図１３（ａ）は、画像表示装置１をｚ軸方向＋方向から見た平面図である。図１３（ｂ）は、観察者Ｍと画像表示部１２ａとが図１３（ａ）の位置関係のときに、画像撮影部１４による撮影に基づいて、画像処理部１９１により生成された変形画像を示している。なお、図１３（ｂ）は、画像表示処理の説明で用いた図７（ｂ）の図と同一である。すなわち、検出部１９２は、図１３（ｂ）に示す変形画像データ上の座標Ｇ１（Ｘ_Ｇ１，Ｙ_Ｇ１）に観察者Ｍを検出する。
【００６９】
音声制御部１９３は、変形画像データ上の座標Ｇ１（Ｘ_Ｇ１，Ｙ_Ｇ１）を基準として、予め格納されている各スピーカ１６の座標値を参照して、ｘ軸方向に＋３０度の近傍に配置されたスピーカ１６と、−３０度の近傍に配置されたスピーカ１６とを選択する。図１３（ａ）に示す場合には、音声制御部１９３は、ｘ軸方向に＋３０度の近傍に配置されたスピーカ１６ｃと、−３０度の近傍に配置されたスピーカ１６ａとを選択する。
【００７０】
この場合、音声データがステレオデータの場合には、音声制御部１９３は、Ｒ音声データを＋３０度の近傍に配置されたスピーカ１６ｃに、Ｌ音声データを−３０度の近傍に配置されたスピーカ１６ａに割り当てる。すなわち、観察者から見て右側に位置するスピーカ１６ｃからＲ音声データの音声が出力され、左側に位置するスピーカ１６ａからＬ音声データの音声が出力されるように割り当てが行われる。この結果、図８（ａ）に示すように画像データＰｄ２に対応する画像が表示されているとき、画像データＰｄ２に関連付けされた音声データに対応する音声が、観察者に対向する位置を基準として左右に分配されたスピーカ１６ａ、１６ｃから同一の音量で出力される。
【００７１】
（２）観察者が複数の場合
複数の観察者が存在する場合の説明として、上述した観察者検出処理により観察者の人数が２人であることが検出された場合を例として説明する。この場合、画像表示装置１は、検出された２人の観察者の位置に応じて選択するスピーカ１６の個数を異ならせる。２人の観察者が隣り合うようにして画像表示部１２ａを観察している場合には、画像表示装置１は隣接し合う２人の観察者が共に同一の画像とその画像に関連付けされた音声とを視聴可能となるように、スピーカ１６を表示する。２人の観察者が離れて（対向して）画像表示部１２ａを観察している場合には、画像表示装置１は２人の観察者のそれぞれが所望する画像とその画像に関連付けされた音声とをそれぞれ視聴可能となるように、スピーカ１６を選択する。以下、観察者が隣接する場合と、観察者が離れている場合とに分けて説明する。
【００７２】
−観察者が隣接する場合−
図１４（ａ）は２人の隣接する観察者Ｍ１、Ｍ２が画像表示部１２ａを観察している場合を示す。図１４（ａ）は、図１３（ａ）と同様に、画像表示装置１をｚ軸方向＋方向から見た平面図である。図１４（ｂ）は、観察者Ｍ１、Ｍ２と画像表示部１２ａとが図１４（ａ）の位置関係のときに、画像撮影部１４による撮影に基づいて、画像処理部１９１により生成された変形画像を示している。なお、図１４（ｂ）は、画像表示処理の説明で用いた図９（ｃ）の図と同一である。すなわち、検出部１９２は、図１４（ｂ）に示す変形画像データ上の座標Ｇ１（Ｘ_Ｇ１，Ｙ_Ｇ１）に観察者Ｍ１を、座標Ｇ２（Ｘ_Ｇ２，Ｙ_Ｇ２）に観察者Ｍ２を検出する。なお、上述したように、検出部１９２が観察者Ｍ１、Ｍ２が隣接すると判定するのは、座標Ｇ１（Ｘ_Ｇ１，Ｙ_Ｇ１）と座標Ｇ２（Ｘ_Ｇ２，Ｙ_Ｇ２）との差分値Δ２が所定の閾値ｔｈ未満の場合である。
【００７３】
検出部１９２は、２人の観察者Ｍ１、Ｍ２が隣接していると判定した場合、上述したように、座標Ｇ１（Ｘ_Ｇ１，Ｙ_Ｇ１）および座標Ｇ２（Ｘ_Ｇ２，Ｙ_Ｇ２）の中点の座標Ｇｃ（Ｘ_Ｇｃ，Ｙ_Ｇｃ）を算出する。音声制御部１９３は、検出部１９２により算出された座標Ｇｃ（Ｘ_Ｇｃ，Ｙ_Ｇｃ）を基準として、予め格納されている各スピーカ１６の座標値を参照して、ｘ軸方向に＋３０度の近傍に配置されたスピーカ１６と、−３０度の近傍に配置されたスピーカ１６とを選択する。図１４（ａ）に示す場合には、音声制御部１９３は、ｘ軸方向に＋３０度の近傍に配置されたスピーカ１６ｅと、−３０度の近傍に配置されたスピーカ１６ｃとを選択する。
【００７４】
この場合でも、音声データがステレオデータの場合には、音声制御部１９３は、Ｒ音声データを＋３０度の近傍に配置されたスピーカ１６ｅに、Ｌ音声データを−３０度の近傍に配置されたスピーカ１６ｃに割り当てる。すなわち、観察者から見て右側に位置するスピーカ１６ｅからＲ音声データの音声が出力され、左側に位置するスピーカ１６ｃからＬ音声データの音声が出力されるように割り当てが行われる。この結果、図９（ａ）に示すように画像データＰｄ２に対応する画像が表示されているとき、画像データＰｄ２に関連付けされた音声データに対応する音声が、観察者Ｍ１，Ｍ２に対向する位置を基準として左右に分配されたスピーカ１６ｃ、１６ｅから出力される。
【００７５】
−観察者が離れている場合−
図１５（ａ）は２人の観察者Ｍ１、Ｍ２が互いに離れた位置から画像表示部１２ａを観察している場合を示す。図１５（ａ）は、図１３（ａ）、図１４（ａ）と同様に、画像表示装置１をｚ軸方向＋方向から見た平面図である。図１５（ｂ）は、観察者Ｍ１、Ｍ２と画像表示部１２ａとが図１５（ａ）の位置関係のときに、画像撮影部１４による撮影に基づいて、画像処理部１９１により生成された変形画像を示している。なお、図１５（ｂ）は、画像表示処理の説明で用いた図１０（ｃ）の図と同一である。すなわち、検出部１９２は、変形画像データ上の座標Ｇ３（Ｘ_Ｇ３，Ｙ_Ｇ３）に観察者Ｍ１を、座標Ｇ４（Ｘ_Ｇ４，Ｙ_Ｇ４）に観察者Ｍ２を検出する。
【００７６】
上述したように、検出部１９２は、座標Ｇ３（Ｘ_Ｇ３，Ｙ_Ｇ３）と座標Ｇ４（Ｘ_Ｇ４，Ｙ_Ｇ４）との差分値Δ２が所定の閾値ｔｈ以上の場合に、２人の観察者Ｍ１，Ｍ２が隣接していないと判定する。図１５においては、２人の観察者Ｍ１，Ｍ２のなす角度が１８０度の場合、すなわち２人の観察者Ｍ１，Ｍ２が互いに対向している場合を示している。
【００７７】
２人の観察者Ｍ１、Ｍ２が離れていることが検出されると、制御回路１１１は、上述したように、観察者Ｍ１が画像を観察するための分割表示領域Ｒ１と、観察者Ｍ２が画像を観察するための分割表示領域Ｒ２とを設定する領域設定処理を行う。そして、音声制御部１９３は、領域設定処理により設定された分割表示領域Ｒ１、Ｒ２ごと、すなわち観察者Ｍ１、Ｍ２ごとに音声を出力するためのスピーカ１６を選択する。
【００７８】
音声制御部１９３は、検出部１９２により検出された観察者Ｍ１の座標Ｇ３（Ｘ_Ｇ３，Ｙ_Ｇ３）を基準として、予め格納されている各スピーカ１６の座標値を参照して、ｘ軸方向に＋３０度の近傍に配置されたスピーカ１６と、−３０度の近傍に配置されたスピーカ１６とを選択する。図１５（ａ）に示す場合には、音声制御部１９３は、ｘ軸方向に＋３０度の近傍に配置されたスピーカ１６ｃと、−３０度の近傍に配置されたスピーカ１６ａとを選択する。この結果、分割表示領域Ｒ１に表示される画像に対応する画像データに関連付けされている音声データの音声は、スピーカ１６ａ、１６ｃにより出力される。
【００７９】
この場合でも、音声データがステレオデータの場合には、音声制御部１９３は、Ｒ音声データを＋３０度の近傍に配置されたスピーカ１６ｃに、Ｌ音声データを−３０度の近傍に配置されたスピーカ１６ａに割り当てる。すなわち、観察者から見て右側に位置するスピーカ１６ｃからＲ音声データの音声が出力され、左側に位置するスピーカ１６ａからＬ音声データの音声が出力されるように割り当てが行われる。
【００８０】
さらに、音声制御部１９３は、検出部１９２により検出された観察者Ｍ２の座標Ｇ４（Ｘ_Ｇ４，Ｙ_Ｇ４）を基準として、予め格納されている各スピーカ１６の座標値を参照して、ｘ軸方向に＋３０度の近傍に配置されたスピーカ１６と、−３０度の近傍に配置されたスピーカ１６とを選択する。図１５（ａ）に示す場合には、音声制御部１９３は、ｘ軸方向に＋３０度の近傍に配置されたスピーカ１６ｉと、−３０度の近傍に配置されたスピーカ１６ｇとを選択する。この結果、分割表示領域Ｒ２に表示される画像に対応する画像データに関連付けされている音声データの音声は、スピーカ１６ｇ、１６ｉにより出力される。
【００８１】
この場合でも、音声データがステレオデータの場合には、音声制御部１９３は、Ｒ音声データを＋３０度の近傍に配置されたスピーカ１６ｉに、Ｌ音声データを−３０度の近傍に配置されたスピーカ１６ｇに割り当てる。すなわち、観察者から見て右側に位置するスピーカ１６ｉからＲ音声データの音声が出力され、左側に位置するスピーカ１６ｇからＬ音声データの音声が出力されるように割り当てが行われる。
【００８２】
この結果、図１０（ｃ）に示すように分割表示領域Ｒ１に表示されている画像の画像データに関連付けされた音声データの音声が、観察者Ｍ１に対向する位置を基準として左右に分配されたスピーカ１６ａ、１６ｃから出力される。さらに、分割表示領域Ｒ２に表示されている画像の画像データに関連付けされた音声データの音声が、観察者Ｍ２に対向する位置を基準として左右に分配されたスピーカ１６ｇ、１６ｉから出力される。
【００８３】
上記の説明では、観察者が２人の場合を例としたが、観察者が３人以上の場合であっても画像表示装置１は同様の処理を行う。図１２に示すように分割表示領域が設定された場合には、音声制御部１９３は設定された分割表示領域ごとに２つのスピーカ１６を選択する。そして、音声制御部１９３は、分割表示領域に表示する画像に関連付けされている音声を選択した２つのスピーカ１６から出力される。
【００８４】
上述したように画像撮影部１４は、所定周期ごとに周囲の撮影を行い、画像信号を出力する。そして、制御回路１１１は、画像信号を入力するごとに観察者検出処理を行っている。したがって、制御回路１１１は、所定周期ごとに行った観察者検出処理の結果により、前回の観察者検出処理の時点から観察者が移動している場合は、新たに観察者を検出した位置に応じて画像表示処理および音声制御処理を行う。すなわち、制御回路１１１は、観察者の移動に応じて画像の表示中心を移動させるとともに、音声を出力するためのスピーカ１６を選択し、選択したスピーカ１６から音声を出力させる。また、制御回路１１１は、前回の観察者検出処理の時点から観察者の人数に変動（増減）がある場合には、新たに検出した観察者の人数に応じて領域設定処理、画像表示処理および音声制御処理を行う。すなわち、制御回路１１１は、観察者の人数の増減に応じて、分割表示領域の個数を増減させる。
【００８５】
以上で説明した実施の形態による画像表示装置１によれば、以下の作用効果が得られる。
（１）画像表示装置１は、半球状に形成された中空のスクリーン１２と、スクリーン１２の下端縁部に半球状の外周に沿って設けられ、音声をそれぞれ異なる狭い出力範囲に出力する複数のスピーカ１６（１６ａ〜１６ｌ）と、画像データが記憶された画像メモリ１１２と、画像投影部１３と、制御回路１１１とを備える。画像投影部１３は、スクリーン１２の外部から観察可能となるように、画像データに対応する画像をスクリーン１２に設けられた画像表示部１２ａの内側から投射する。制御回路１１１の検出部１９２は、スクリーン１２を外部から観察する観察者を検出するとともに、観察者の位置を検出する。制御回路１１１は、検出部１９２により検出された観察者の位置に基づいて、検出された観察者と対向する画像表示部１２ａ上の位置が画像の中心位置となるように画像投射部１３に画像を投射させる。制御回路１１１の音声制御部１９３は、画像投影部１３により投射される画像の画像データに音声データが関連付けされているか否かを判定する。音声制御部１９３は、画像データに音声データが関連付けされていると判定した場合には、複数のスピーカ１６ａ〜１６ｌの中から、検出部１９２により検出された観察者と対向する位置の近傍に設けられた２つのスピーカ１６を再生用スピーカとして選択する。そして、音声制御部１９３は、選択した再生用スピーカから音声データに対応する音声を出力させるようにした。したがって、観察者の位置に応じて音声を出力する２つのスピーカ１６が適宜選択されるので、スピーカ１６に駆動機構等を設けることなく、観察者は画像表示装置１に対して任意の位置から観察しても、観察者に対向する位置の近傍に配置されたスピーカ１６から音声を出力させることができる。
【００８６】
特に、音声制御部１９３は、検出部１９２により検出された観察者と対向する位置を基準として、実質的に同じ距離だけ離れた位置に配置された２つのスピーカ１６を前記再生用スピーカとして選択するようにした。この場合、音声制御部１９３は、音声データがステレオデータであると判定した場合には、Ｒ用音声データの音声を２つのスピーカ１６のうち観察者に向かって右側に設けられたスピーカ１６から出力させ、Ｌ用音声データの音声を観察者に向かって左側に設けられたスピーカ１６から出力させる。音声制御部１９３は、音声データがモノラルデータであると判定した場合には、２つのスピーカ１６から同一の音声データに対応する音声をそれぞれ出力させる。その結果、観察者から向かって右側に設けられているスピーカ１６と、左側に設けられているスピーカ１６とのうちの一方の音量を他方のスピーカ１６の音量よりも過大とすることなく、観察者は均等な音量の音声を聞くことができる。このため、複数の観察者のうち一の観察者に向けて出力された音声が、他の観察者の妨げとなることを回避できる。
【００８７】
（２）検出部１９２により１人の観察者が検出された場合には、画像投影部１３は、１人の観察者と対向する画像表示部１２ａ上の位置を中心として画像を表示させ、音声制御部１９３は、１人の観察者と対向する位置の近傍に設けられた２つのスピーカ１６を選択するようにした。さらに、検出部１９２によって複数の観察者が検出された場合には、画像投影部１９２は、観察者の人数と位置とに応じて、画像表示部１２ａの異なる分割表示領域を設定し、分割表示領域ごとに画像を表示させ、音声制御部１９３は、設定された分割表示領域ごとに異なる２つのスピーカ１６を選択するようにした。したがって、観察者が１人の場合であっても複数の場合であっても、それぞれの観察者に対向する位置の近傍に設けられた２つのスピーカ１６から音声が出力されるので、観察者が画像と音声とを視聴する際の位置選択の自由度が向上する。さらに、複数の観察者が検出された場合には、分割表示領域ごとに２つのスピーカ１６が選択されるので、観察者の相対位置が離れている場合には、それぞれの観察者に対して音声が出力され、観察者が隣接している場合には全ての観察者に対して同一の音声が出力される。したがって、観察者が単独で画像と音声とを視聴する場合や他の大勢とともに画像と音声とを視聴する場合であっても、スクリーン１２上の観察者に対向する位置を中心に画像が観察可能に表示されるので、観察者は自由に画像と音声とを視聴する位置を選択できる。
【００８８】
以上で説明した実施の形態による画像表示装置１を、次のように変形できる。
【００８９】
（１）画像撮影部１４から入力された画像信号に基づいて観察者の位置や人数を検出するものに代えて、観察者によるタッチパネル１２１のタッチ操作により観察者の位置や人数を検出してもよい。この場合、検出部１９２は、タッチパネル１２１から入力した操作信号によって示される座標値に基づいて観察者の位置を検出する。また、検出部１９２は、所定のタイミングでタッチパネル１２１から入力した操作信号の入力回数により観察者の人数を検出する。
【００９０】
もしくは、画像撮影部１４に代えて、たとえば赤外線センサを用いてもよい。この場合、検出部１９２は、赤外線センサからの検出信号を用いて、画像表示装置１に対する観察者の相対方位等を検出することにより観察者の位置と人数とを検出すればよい。
【００９１】
（２）複数の観察者が離れた位置にいる場合に、スクリーン１２上に分割表示領域を設定するか否かを観察者により選択可能としてもよい。この場合、たとえばベース部材１１上に設定ボタンを設ける。そして、観察者により設定ボタンが操作されオン設定がなされた場合には、画像表示装置１はスクリーン１２上に分割表示領域を設定する。観察者により設定ボタンが操作されてオフ設定がなされた場合には、複数の観察者が離れた位置に存在することが検出された場合であっても、画像表示装置１はスクリーン１２上に分割表示領域を設定しない。
【００９２】
（３）サムネイル画像を表示する際には、画像処理部１９１は、観察者検出処理によって検出された観察者の位置を基点として複数のサムネイル画像を配列するようにしてもよい。複数の観察者が検出されスクリーン１２上に分割表示領域が設定される場合には、画像処理部１９１は各分割表示領域ごとに複数のサムネイル画像を配列すればよい。
【００９３】
また、本発明の特徴を損なわない限り、本発明は上記実施の形態に限定されるものではなく、本発明の技術的思想の範囲内で考えられるその他の形態についても、本発明の範囲内に含まれる。説明に用いた実施の形態および変形例は、それぞれを適宜組合わせて構成しても構わない。
【符号の説明】
【００９４】
１  画像表示装置、  １２  スクリーン、
１３  画像投影部、  １４  画像撮影部、
１６  スピーカ、  １１１  制御回路、  
１２１  タッチパネル、  １４１  ＰＡＬレンズ、
１４３  撮像素子、  １９１  画像処理部、
１９２  検出部、  １９３  音声制御部
【図１】
2013255029.tif 000003
【図２】
2013255029.tif 000004
【図３】
2013255029.tif 000005
【図４】
2013255029.tif 000006
【図５】
2013255029.tif 000007
【図６】
2013255029.tif 000008
【図７】
2013255029.tif 000009
【図８】
2013255029.tif 000010
【図９】
2013255029.tif 000011
【図１０】
2013255029.tif 000012
【図１１】
2013255029.tif 000013
【図１２】
2013255029.tif 000014
【図１３】
2013255029.tif 000015
【図１４】
2013255029.tif 000016
【図１５】
2013255029.tif 000017